(57)【要約】    【課題】      フェージングによって受信レベルが低いパスがある場合でも、パスごとのチャネル推定電力を用いて既知信号と情報信号との振幅比を精度良く推定し、受信性能を向上させること。    【解決手段】  フィンガ部１１０−１〜１１０−ｎは、各パスのＣＰＩＣＨシンボル（既知信号）からチャネル推定電力を求めるとともに、ＨＳ−ＰＤＳＣＨシンボル（情報信号）を同期検波する。パス決定部１２０は、チャネル推定電力を用いて既知信号対情報信号の振幅比推定のために用いるパスを決定する。Ｒａｋｅ合成部１３０は、ＨＳ−ＰＤＳＣＨシンボルの同期検波結果をＲａｋｅ合成する。フェージング除去部１４０は、パス決定部１２０によって決定されたパスのＨＳ−ＰＤＳＣＨシンボルをこのパスのチャネル推定電力で除算する。振幅比平均化部１５０は、除算結果の絶対値を所定区間にわたって平均化して振幅比を算出する。  【選択図】      図１
2005073162.tif 000002
【特許請求の範囲】
【請求項１】
複数のパスを経由して伝送される既知信号および情報信号を受信する受信手段と、
受信された既知信号の所定の区間のチャネル推定電力を平均して、パスごとの平均チャネル推定電力を算出する算出手段と、
算出された平均チャネル推定電力を用いて前記既知信号および情報信号の振幅比推定に使用するパスを決定する決定手段と、
決定されたパスの情報信号の同期検波結果を当該パスの既知信号のチャネル推定電力で除算する除算手段と、
を有することを特徴とする受信装置。
【請求項２】
前記決定手段は、
前記平均チャネル推定電力が最大であるパスを振幅比推定に使用するパスとして決定することを特徴とする請求項１記載の受信装置。
【請求項３】
前記決定手段は、
前記平均チャネル推定電力が所定の閾値以上であるパスを振幅比推定に使用するパスとして決定することを特徴とする請求項１記載の受信装置。
【請求項４】
受信された既知信号に含まれる雑音成分の所定の区間の雑音電力を平均して、パスごとの平均雑音電力を算出する平均雑音電力算出手段、をさらに有し、
前記決定手段は、
前記平均チャネル推定電力対前記平均雑音電力の比が最大であるパスを振幅比推定に使用するパスとして決定することを特徴とする請求項１記載の受信装置。
【請求項５】
受信された既知信号に含まれる雑音成分の所定の区間の雑音電力を平均して、パスごとの平均雑音電力を算出する平均雑音電力算出手段、をさらに有し、
前記決定手段は、
前記平均チャネル推定電力対前記平均雑音電力の比が所定の閾値以上であるパスを振幅比推定に使用するパスとして決定することを特徴とする請求項１記載の受信装置。
【請求項６】
前記決定手段は、
所定の区間ごとに決定されるパスの信頼度を他の区間で決定されるパスの信頼度と比較する信頼度比較部、を有し、
最も信頼度が高い区間において決定されたパスから推定される振幅比を、信頼度を比較した全区間の復調に使用する振幅比と決定することを特徴とする請求項１記載の受信装置。
【請求項７】
前記信頼度比較部は、
所定数の区間で決定されるパスの信頼度を互いに比較することを特徴とする請求項６記載の受信装置。
【請求項８】
前記信頼度比較部は、
過去の区間で決定されたパスの信頼度と今回の区間で決定されたパスの信頼度とを比較することを特徴とする請求項６記載の受信装置。
【請求項９】
前記信頼度比較部は、
決定されたパスの平均チャネル推定電力または平均チャネル推定電力対平均雑音電力の比を信頼度として比較することを特徴とする請求項６記載の受信装置。
【請求項１０】
請求項１から請求項９のいずれかに記載の受信装置を有することを特徴とする移動端末装置。
【請求項１１】
請求項１から請求項９のいずれかに記載の受信装置を有することを特徴とする基地局装置。
【請求項１２】
複数のパスを経由して伝送される既知信号および情報信号を受信するステップと、
受信された既知信号の所定の区間のチャネル推定電力を平均して、パスごとの平均チャネル推定電力を算出するステップと、
算出された平均チャネル推定電力を用いて前記既知信号および情報信号の振幅比推定に使用するパスを決定するステップと、
決定されたパスの情報信号の同期検波結果を当該パスの既知信号のチャネル推定電力で除算するステップと、
を有することを特徴とする振幅比推定方法。
【発明の詳細な説明】
【技術分野】
【０００１】
本発明は、受信装置および振幅比推定方法に関し、特に、受信信号を復調するために既知信号と情報信号との送信レベルの比が必要となる１６ＱＡＭ（16 Quadrature Amplitude Modulation）などの変調方式で変調された信号を受信する受信装置および振幅比推定方法に関する。
【背景技術】
【０００２】
近年、無線通信分野においては、例えばＨＳＤＰＡ（High Speed Downlink Packet Access）などの高速パケット通信が注目されている。ＨＳＤＰＡでは、下り回線の伝搬環境に応じた最適な伝送レートでパケットを送信するために、基地局装置からのパケット送信に適応変調方式が使用される。適応変調方式においては、伝搬環境に応じた変調方式が適応的に選択され、伝送レートが制御される。
【０００３】
適応変調方式に用いられる変調方式としては、ＱＰＳＫ（Quadrature Phase Shift Keying）および１６ＱＡＭなどがある。ＱＰＳＫは、波形の位相成分のみを用いて１シンボルで２ビットの情報を表現するのに対し、１６ＱＡＭは、波形の振幅成分にも情報を載せることにより１シンボルで４ビットの情報を表現することができる。
【０００４】
また、１６ＱＡＭによって変調された信号の復調には、１６ＱＡＭによって変調されたシンボルのＩＱ平面上での信号点候補を示す参照信号点配置が必要となる。この参照信号点配置を生成するためには、基地局装置が情報信号（パケット）および既知信号の送信に用いる物理チャネル（すなわち、ＨＳ−ＰＤＳＣＨ（High Speed Physical Downlink Shared CHannel）およびＣＰＩＣＨ（Common PIlot CHannel））について、どのような振幅比で送信を行ったかの情報を用いる。
【０００５】
しかし、ＨＳＤＰＡにおいては、この情報信号と既知信号との振幅比（以下、単に「振幅比」という）が基地局装置から通知されないため、移動局装置は、受信信号から振幅比を推定し、１６ＱＡＭの参照信号点配置を生成する必要がある。
【０００６】
以下、例えば非特許文献１の記載を参照して、ＨＳ−ＰＤＳＣＨとＣＰＩＣＨとの振幅比を推定する方法の例について説明する。
【０００７】
非特許文献１では、Ｒａｋｅ合成されたＨＳ−ＰＤＳＣＨ信号とＣＰＩＣＨ信号から求めたチャネル推定電力とを用いて上述の振幅比を推定する方法が記載されている。この方法では、図１０に示すような装置によって振幅比が推定される。
【０００８】
具体的には、まず、ＣＰＩＣＨ信号に対してチャネル推定部１０によってチャネル推定が行われ、得られたチャネル推定値が複素共役算出部２０および乗算器３０へ出力される。そして、複素共役算出部２０によってチャネル推定値の複素共役が算出され、乗算器３０によってチャネル推定値とその複素共役とが乗算されることにより、チャネル推定電力が求められる。このチャネル推定電力は、フィンガごとに求められ、フィンガごとのチャネル推定電力は、チャネル推定電力合算部５０によって合算される。
【０００９】
一方、ＨＳ−ＰＤＳＣＨ信号は、同期検波部４０によって、チャネル推定値の複素共役が用いられて同期検波される。ＨＳ−ＰＤＳＣＨ信号の同期検波は、フィンガごとに行われ、フィンガごとの同期検波結果は、Ｒａｋｅ合成部６０によってＲａｋｅ合成される。
【００１０】
そして、フェージング除去部７０によって、Ｒａｋｅ合成後のシンボルがチャネル推定電力の合算値によって除算され、結果として、フェージングによるＨＳ−ＰＤＳＣＨ信号の振幅変動が除去され、ＣＰＩＣＨ信号とＨＳ−ＰＤＳＣＨ信号との送信時の振幅比が推定される。
【非特許文献１】3GPP, R1-01-0921 "A Method for Blind Determination of Pilot to Data Power Ratio for QAM Signals", TSG-RAN Working Group 1 meeting #21 Italy, 27th-31stAugust 2001
【発明の開示】
【発明が解決しようとする課題】
【００１１】
しかしながら、各フィンガに対応するパスの受信レベルは、それぞれフェージングによって時間変動するため、必ずしもすべてのパスの受信レベルが十分に高いわけではない。そして、受信レベルが低いパスについてはチャネル推定の精度が低下し、チャネル推定値に含まれる誤差が増加する。
【００１２】
上述した既知信号（ＣＰＩＣＨ信号）と情報信号（ＨＳ−ＰＤＳＣＨ信号）との振幅比の推定方法では、各パスのチャネル推定値から求めるチャネル推定電力の総和で同期検波結果の除算を行うため、受信レベルが低いパスがある場合には、チャネル推定電力の総和に占める雑音成分の割合が増加する。そして、結果として、推定された振幅比に誤差が生じるという問題がある。
【００１３】
誤差を多く含む振幅比を用いて１６ＱＡＭの参照信号点配置を生成すると、情報信号の復調精度が低下することになり、受信性能が劣化してしまう。
【００１４】
本発明はかかる点に鑑みてなされたものであり、フェージングによって受信レベルが低いパスがある場合でも、パスごとのチャネル推定電力を用いて既知信号と情報信号との振幅比を精度良く推定し、受信性能を向上させることができる受信装置および振幅比推定方法を提供することを目的とする。
【課題を解決するための手段】
【００１５】
本発明の受信装置は、複数のパスを経由して伝送される既知信号および情報信号を受信する受信手段と、受信された既知信号の所定の区間のチャネル推定電力を平均して、パスごとの平均チャネル推定電力を算出する算出手段と、算出された平均チャネル推定電力を用いて前記既知信号および情報信号の振幅比推定に使用するパスを決定する決定手段と、決定されたパスの情報信号の同期検波結果を当該パスの既知信号のチャネル推定電力で除算する除算手段と、を有する構成を採る。
【００１６】
この構成によれば、パスごとに平均チャネル推定電力を算出し、この平均チャネル推定電力を用いて振幅比推定に使用するパスを決定し、決定されたパスの同期検波結果をチャネル推定電力で除算するため、平均チャネル推定電力が低く、受信状態が劣悪なパスを除外した上で振幅比推定を行うことができ、フェージングによって受信レベルが低いパスがある場合でも、パスごとのチャネル推定電力を用いて既知信号と情報信号との振幅比を精度良く推定し、受信性能を向上させることができる。
【００１７】
本発明の受信装置は、前記決定手段は、前記平均チャネル推定電力が最大であるパスを振幅比推定に使用するパスとして決定する構成を採る。
【００１８】
この構成によれば、平均チャネル推定電力が最大であるパスを振幅比推定に使用するため、受信状態が相対的に最も良好で雑音が少ないと考えられるパスの既知信号と情報信号との振幅比を推定することができ、振幅比の推定精度を向上させることができる。
【００１９】
本発明の受信装置は、前記決定手段は、前記平均チャネル推定電力が所定の閾値以上であるパスを振幅比推定に使用するパスとして決定する構成を採る。
【００２０】
この構成によれば、平均チャネル推定電力が所定の閾値以上であるパスを振幅比推定に使用するため、受信状態が一定基準より良好で雑音が少ないと考えられるパスの既知信号と情報信号のみを用いて振幅比を推定することができ、振幅比の推定精度を向上させることができる。
【００２１】
本発明の受信装置は、受信された既知信号に含まれる雑音成分の所定の区間の雑音電力を平均して、パスごとの平均雑音電力を算出する平均雑音電力算出手段、をさらに有し、前記決定手段は、前記平均チャネル推定電力対前記平均雑音電力の比が最大であるパスを振幅比推定に使用するパスとして決定する構成を採る。
【００２２】
この構成によれば、パスごとの平均チャネル推定電力対平均雑音電力の比が最大であるパスを振幅比推定に使用するため、雑音電力に比べチャネル推定電力が最も大きく受信状態が相対的に最も良好であると考えられるパスの既知信号と情報信号との振幅比を推定することができ、振幅比の推定精度を向上させることができる。
【００２３】
本発明の受信装置は、受信された既知信号に含まれる雑音成分の所定の区間の雑音電力を平均して、パスごとの平均雑音電力を算出する平均雑音電力算出手段、をさらに有し、前記決定手段は、前記平均チャネル推定電力対前記平均雑音電力の比が所定の閾値以上であるパスを振幅比推定に使用するパスとして決定する構成を採る。
【００２４】
この構成によれば、パスごとの平均チャネル推定電力対平均雑音電力の比が所定の閾値以上であるパスを振幅比推定に使用するため、雑音電力に比べチャネル推定電力が一定基準を満たしており受信状態が良好であると考えられるパスの既知信号と情報信号のみを用いてとの振幅比を推定することができ、振幅比の推定精度を向上させることができる。
【００２５】
本発明の受信装置は、前記決定手段は、所定の区間ごとに決定されるパスの信頼度を他の区間で決定されるパスの信頼度と比較する信頼度比較部、を有し、最も信頼度が高い区間において決定されたパスから推定される振幅比を、信頼度を比較した全区間の復調に使用する振幅比と決定する構成を採る。
【００２６】
この構成によれば、区間ごとに決定されるパスの信頼度を比較し、信頼度が高い区間のパスから推定される振幅比を使用して全区間の復調を行うため、複数の区間の区間内で最も信頼度が高いパスを使用して復調を行うことができ、復調性能をさらに向上させることができる。
【００２７】
本発明の受信装置は、前記信頼度比較部は、所定数の区間で決定されるパスの信頼度を互いに比較する構成を採る。
【００２８】
この構成によれば、所定数の区間で決定されるパスの信頼度を互いに比較するため、振幅比を精度良く推定することができるとともに、復調性能をさらに向上させることができる。
【００２９】
本発明の受信装置は、前記信頼度比較部は、過去の区間で決定されたパスの信頼度と今回の区間で決定されたパスの信頼度とを比較する構成を採る。
【００３０】
この構成によれば、過去の区間で決定されたパスの信頼度と今回の区間で決定されたパスの信頼度とを比較するため、今回の区間で振幅比が算出された時点で復調を開始することができ、復調性能を向上しつつ、処理時間の増大を防止することができる。
【００３１】
本発明の受信装置は、前記信頼度比較部は、決定されたパスの平均チャネル推定電力または平均チャネル推定電力対平均雑音電力の比を信頼度として比較する構成を採る。
【００３２】
この構成によれば、決定されたパスの平均チャネル推定電力または平均チャネル推定電力対平均雑音電力の比を信頼度として比較するため、改めて信頼度を算出する必要が無く、演算処理の増大を防止することができる。
【００３３】
本発明の移動端末装置は、上記のいずれかに記載の受信装置を有する構成を採る。
【００３４】
この構成によれば、上記のいずれかに記載の受信装置と同様の作用効果を、移動端末装置において実現することができる。
【００３５】
本発明の基地局装置は、上記のいずれかに記載の受信装置を有する構成を採る。
【００３６】
この構成によれば、上記のいずれかに記載の受信装置と同様の作用効果を、基地局装置において実現することができる。
【００３７】
本発明の振幅比推定方法は、複数のパスを経由して伝送される既知信号および情報信号を受信するステップと、受信された既知信号の所定の区間のチャネル推定電力を平均して、パスごとの平均チャネル推定電力を算出するステップと、算出された平均チャネル推定電力を用いて前記既知信号および情報信号の振幅比推定に使用するパスを決定するステップと、決定されたパスの情報信号の同期検波結果を当該パスの既知信号のチャネル推定電力で除算するステップと、を有するようにした。
【００３８】
この方法によれば、パスごとに平均チャネル推定電力を算出し、この平均チャネル推定電力を用いて振幅比推定に使用するパスを決定し、決定されたパスの同期検波結果をチャネル推定電力で除算するため、平均チャネル推定電力が低く、受信状態が劣悪なパスを除外した上で振幅比推定を行うことができ、フェージングによって受信レベルが低いパスがある場合でも、パスごとのチャネル推定電力を用いて既知信号と情報信号との振幅比を精度良く推定し、受信性能を向上させることができる。
【発明の効果】
【００３９】
本発明によれば、フェージングによって受信レベルが低いパスがある場合でも、パスごとのチャネル推定電力を用いて既知信号と情報信号との振幅比を精度良く推定し、受信性能を向上させることができる。
【発明を実施するための最良の形態】
【００４０】
本発明の骨子は、チャネル推定電力が高いパスを選択し、このパスのチャネル推定電力および同期検波結果のみを用いて既知信号と情報信号との振幅比を推定することである。
【００４１】
以下、本発明の実施の形態について、図面を参照して詳細に説明する。
【００４２】
（実施の形態１）
図１は、本発明の実施の形態１に係る受信装置の要部構成を示すブロック図である。図１に示す受信装置は、無線受信部１００、フィンガ部１１０−１〜１１０−ｎ、パス決定部１２０、Ｒａｋｅ合成部１３０、フェージング除去部１４０、振幅比平均化部１５０、参照信号点生成部１６０、復調部１７０、および復号部１８０を有している。
【００４３】
無線受信部１００は、アンテナを介して１６ＱＡＭで変調された信号を受信し、受信信号に対して所定の無線受信処理（ダウンコンバート、Ａ／Ｄ変換など）を施す。
【００４４】
フィンガ部１１０−１〜１１０−ｎは、信号が伝送される複数のパスに対応して設けられており、各パスの受信信号に含まれるＣＰＩＣＨシンボル（既知信号）からチャネル推定電力を求めるとともに、ＨＳ−ＰＤＳＣＨシンボル（情報信号）を同期検波する。
【００４５】
パス決定部１２０は、フィンガ部１１０−１〜１１０−ｎによって求められたチャネル推定電力を用いて振幅比推定のために用いるパスを決定する。なお、フィンガ部１１０−１〜１１０−ｎおよびパス決定部１２０の構成については、後に詳述する。
【００４６】
Ｒａｋｅ合成部１３０は、フィンガ部１１０−１〜１１０−ｎから出力されるＨＳ−ＰＤＳＣＨシンボルの同期検波結果をＲａｋｅ合成する。
【００４７】
フェージング除去部１４０は、パス決定部１２０によって決定されたパスのＨＳ−ＰＤＳＣＨシンボルをこのパスのＣＰＩＣＨシンボルから求められたチャネル推定電力で除算する。
【００４８】
振幅比平均化部１５０は、フェージング除去部１４０によるシンボル単位の除算結果の絶対値を例えば１スロットなどの所定区間にわたって平均化することにより、ＣＰＩＣＨとＨＳ−ＰＤＳＣＨとの振幅比を算出する。
【００４９】
参照信号点生成部１６０は、各パスのチャネル推定電力の合算値と振幅比とを用いて１６ＱＡＭのシンボルの信号点候補を示す参照信号点配置を生成する。
【００５０】
復調部１７０は、Ｒａｋｅ合成部１３０のＲａｋｅ合成結果が参照信号点配置のどの信号点に相当するものであるかを判定して尤度情報を求めることにより、Ｒａｋｅ合成結果の復調を行う。
【００５１】
復号部１８０は、復調部１７０によって求められた尤度情報を用いて復調結果を復号し、復号データを出力する。
【００５２】
図２は、実施の形態１に係るフィンガ部１１０−１の内部構成を示すブロック図である。なお、フィンガ部１１０−１〜１１０−ｎは、すべて同様の構成を有している。
【００５３】
ＣＰＩＣＨ逆拡散部１１１は、既知信号であるＣＰＩＣＨの信号を逆拡散し、逆拡散結果をシンボル単位で出力する。
【００５４】
チャネル推定部１１２は、ＣＰＩＣＨの逆拡散結果からチャネル推定を行い、フィンガ部１１０−１に対応するパスにおけるチャネル推定値を算出する。
【００５５】
複素共役算出部１１３は、チャネル推定値の複素共役を算出する。
【００５６】
ＨＳ−ＰＤＳＣＨ逆拡散部１１４は、情報信号であるＨＳ−ＰＤＳＣＨの信号を逆拡散し、逆拡散結果をシンボル単位で出力する。
【００５７】
同期検波部１１５は、チャネル推定値の複素共役を用いてＨＳ−ＰＤＳＣＨの逆拡散結果を同期検波し、同期検波結果をパス決定部１２０へ出力する（この出力をＣとする）とともに、Ｒａｋｅ合成部１３０へ出力する。
【００５８】
乗算器１１６は、チャネル推定値とチャネル推定値の複素共役とを乗算して、シンボル単位のＣＰＩＣＨの電力を示すチャネル推定電力を算出する。このチャネル推定電力は、そのままパス決定部１２０へ出力される（この出力をＡとする）とともに平均値算出部１１７へ出力される。
【００５９】
平均値算出部１１７は、例えば１スロットなどの所定区間にわたってチャネル推定電力を平均し、得られた平均チャネル推定電力をパス決定部１２０へ出力する（この出力をＢとする）。
【００６０】
図３は、実施の形態１に係るパス決定部１２０の内部構成を示すブロック図である。
【００６１】
チャネル推定電力合算部１２１は、フィンガ部１１０−１〜１１０−ｎからそれぞれＡとして入力されるｎ個のチャネル推定電力をすべて合算し、合算値を参照信号点生成部１６０へ出力する。また、チャネル推定電力合算部１２１は、後述する最大値検出部１２２から通知されたパスに対応する入力Ａをフェージング除去部１４０へ出力する。
【００６２】
最大値検出部１２２は、フィンガ部１１０−１〜１１０−ｎからそれぞれＢとして入力されるｎ個の平均チャネル推定電力を比較し、最大値を検出する。最大値検出部１２２は、平均チャネル推定電力が最大であるパスをチャネル推定電力合算部１２１および後述するパス選択部１２３へ通知する。
【００６３】
パス選択部１２３は、フィンガ部１１０−１〜１１０−ｎからそれぞれＣとして入力されるｎ個の同期検波結果のうち、最大値検出部１２２から通知されたパスに対応する同期検波結果をフェージング除去部１４０へ出力する。
【００６４】
次いで、上記のように構成された受信装置の動作について説明する。
【００６５】
まず、アンテナを介して無線受信部１００によって複数のパスから信号が受信され、所定の無線受信処理（ダウンコンバート、Ａ／Ｄ変換など）が施される。この受信信号は、１６ＱＡＭで変調されており、既知信号であるＣＰＩＣＨの信号および情報信号であるＨＳ−ＰＤＳＣＨの信号を含んでいる。そして、パスごとの受信信号がそれぞれフィンガ部１１０−１〜１１０−ｎ内のＣＰＩＣＨ逆拡散部１１１およびＨＳ−ＰＤＳＣＨ１１４へ入力される。
【００６６】
ＣＰＩＣＨ逆拡散部１１１へ入力された信号は、ＣＰＩＣＨ用の拡散コードで逆拡散され、逆拡散結果がシンボル単位でチャネル推定部１１２へ出力される。そして、チャネル推定部１１２によって、ＣＰＩＣＨの逆拡散結果からチャネル推定が行われ、チャネル推定値が複素共役算出部１１３および乗算器１１６へ出力される。チャネル推定値が複素共役算出部１１３へ出力されると、チャネル推定値の複素共役が算出され、乗算器１１６によってチャネル推定値と乗算され、シンボル単位のチャネル推定電力が得られる。このチャネル推定電力は、ＣＰＩＣＨシンボルの電力に相当する。
【００６７】
チャネル推定電力は、出力Ａとしてパス決定部１２０内のチャネル推定電力合算部１２１へ出力されるとともに、平均値算出部１１７によって例えば１スロットなどの所定区間にわたる平均チャネル推定電力が算出され、出力Ｂとしてパス決定部１２０内の最大値検出部１２２へ出力される。
【００６８】
一方、ＨＳ−ＰＤＳＣＨ逆拡散部１１４へ入力された信号は、ＨＳ−ＰＤＳＣＨ用の逆拡散コードで逆拡散され、逆拡散結果がシンボル単位で同期検波部１１５へ出力される。そして、同期検波部１１５によって、チャネル推定値の複素共役が用いられてＨＳ−ＰＤＳＣＨシンボルの同期検波が行われる。同期検波結果は、出力Ｃとしてパス決定部１２０内のパス選択部１２３へ出力されるとともに、Ｒａｋｅ合成部１３０へ出力される。各フィンガ部１１０−１〜１１０−ｎから出力された同期検波結果は、Ｒａｋｅ合成部１３０によってＲａｋｅ合成され、結果が復調部１７０へ出力される。
【００６９】
上記の出力Ａ〜Ｃは、各フィンガ部１１０−１〜１１０−ｎからパス決定部１２０へそれぞれ出力される。換言すれば、ｎ個の出力Ａ〜Ｃがパス決定部１２０内の各処理部へ入力される。
【００７０】
パス決定部１２０では、以下のように振幅比の算出に用いるパスが決定される。
【００７１】
すなわち、最大値検出部１２２によって、入力Ｂである平均チャネル推定電力の最大値が検出され、この平均チャネル推定電力の最大値に対応するパスが振幅比算出に用いられるパスとなる。上述したように、平均チャネル推定電力は、シンボル単位のチャネル推定電力を１スロットなどの所定区間にわたって平均したものである。したがって、平均チャネル推定電力の最大値を検出することにより、短区間平均で見た場合にチャネル推定電力が小さくなっているパスを除外し、安定してチャネル推定電力が大きいパスを選択することができる。
【００７２】
そして、平均チャネル推定電力が最大であるパスの情報がチャネル推定電力合算部１２１およびパス選択部１２３へ通知される。この情報が通知されると、チャネル推定電力合算部１２１によって、ｎ個の入力Ａ（シンボル単位のチャネル推定電力）のうち当該パスに対応するフィンガ部から出力された入力Ａがフェージング除去部１４０へ出力される。また、すべてのパスに対応するｎ個の入力Ａは、チャネル推定電力合算部１２１によって合算され、参照信号点生成部１６０へ出力される。
【００７３】
一方、平均チャネル推定電力が最大であるパスの情報がパス選択部１２３へ通知されると、パス選択部１２３によって、ｎ個の入力Ｃ（シンボル単位の同期検波結果）のうち当該パスに対応するフィンガ部から出力された入力Ｃがフェージング除去部１４０へ出力される。
【００７４】
これにより、チャネル推定電力が安定して大きいパスのＣＰＩＣＨシンボルから得られたチャネル推定電力とこのパスのＨＳ−ＰＤＳＣＨシンボルの同期検波結果とがフェージング除去部１４０へ出力されたことになる。つまり、フェージング除去部１４０へ出力されるチャネル推定電力および同期検波結果は、受信レベルが高いパスのチャネル推定値に基づいており、精度が高いものとなっている。
【００７５】
そして、フェージング除去部１４０によって、ＨＳ−ＰＤＳＣＨシンボルの同期検波結果がチャネル推定電力によって除算され、除算結果が振幅比平均化部１５０へ出力される。除算結果の絶対値は、振幅比平均化部１５０によって、例えば１スロットなどの所定区間にわたって平均化され、得られた平均値がＣＰＩＣＨとＨＳ−ＰＤＳＣＨとの振幅比として参照信号点生成部１６０へ出力される。
【００７６】
そして、参照信号点生成部１６０によって、振幅比およびチャネル推定電力合算部１２１によって算出されたチャネル推定電力の合算値が用いられることにより、１６ＱＡＭで変調されたシンボルがＩＱ平面上に配置された場合に、信号点となり得る１６個の信号点候補を示す参照信号点配置が生成される。この参照信号点配置は、復調部１７０へ通知され、復調部１７０によって、Ｒａｋｅ合成部１３０から出力されるＲａｋｅ合成結果が参照信号点配置のどの信号点を示すものであるかが判定されることにより、復調が行われる。このとき、復調結果の確からしさが尤度情報として復号部１８０へ通知される。
【００７７】
復調結果は、復号部１８０によって尤度情報が用いられて復号され、復号データが出力される。
【００７８】
次に、本実施の形態に係る振幅比の算出について具体的に数式を用いて説明する。以下の説明においては、ＣＰＩＣＨシンボル（既知信号）の平均振幅をＡp、ＨＳ−ＰＤＳＣＨシンボル（情報信号）の平均振幅をＡdとする。また、平均チャネル推定電力の算出および振幅比平均化部１５０による平均化を行う区間を１スロットとし、１スロットは１６０シンボルから構成されているものとする。
【００７９】
まず、フィンガ部１１０−ｉにおけるチャネル推定部１１２によって得られる、ｋ番目のＨＳ−ＰＤＳＣＨシンボルに対するチャネル推定値をＡp[αik]とする。また、このチャネル推定値の複素共役をＡp[αik]*とすると、フィンガ部１１０−ｉにおける同期検波部１１５から出力されるＨＳ−ＰＤＳＣＨシンボルの同期検波結果ｘikは、以下の式（１）のように表すことができる。
【数１】
2005073162.tif 000003
【００８０】
なお、式（１）において、Ｓkは電力が１となるように正規化したＨＳ−ＰＤＳＣＨの送信シンボルを示し、αikは実際のフェージングを示している。したがって、式（１）は、実際に送信されるＨＳ−ＰＤＳＣＨシンボルＡdＳkにフェージングαikが乗算された受信シンボルを、チャネル推定によりチャネル推定値の複素共役Ａp[αik]*を乗算して同期検波する様子を示している。
【００８１】
また、平均値算出部１１７において求められる平均チャネル推定電力Ｐaveは、以下の式（２）のように表すことができる。
【数２】
2005073162.tif 000004
【００８２】
このようにフィンガ部１１０−ｉにおいて求められた平均チャネル推定電力Ｐaveは、パス決定部１２０内の最大値検出部１２２へ出力され、平均チャネル推定電力Ｐaveが最も大きいフィンガ部１１０−ｉが選択される。
【００８３】
そして、このフィンガ部１１０−ｉのＨＳ−ＰＤＳＣＨシンボルの同期検波結果ｘikがフェージング除去部１４０へ出力されるとともに、対応するチャネル推定電力によって除算され、この除算結果の絶対値が振幅比平均化部１５０によって１６０シンボル分平均化される。
【００８４】
これにより式（３）に示す振幅比（Ａp／Ａd）を得ることができる。
【数３】
2005073162.tif 000005
【００８５】
このように、本実施の形態によれば、複数のパスにおけるＣＰＩＣＨシンボルの電力を１スロットなどの所定区間にわたって平均し、得られた平均チャネル推定電力が最大であるパスに対応するチャネル推定電力およびＨＳ−ＰＤＳＣＨシンボルの同期検波結果を用いてＣＰＩＣＨとＨＳ−ＰＤＳＣＨとの振幅比を算出するため、受信レベルが低くチャネル推定の精度が低いパスを除外した上で、振幅比の算出を行うことができ、フェージングによって受信レベルが低いパスがある場合でも、パスごとのチャネル推定電力を用いて既知信号と情報信号との振幅比を精度良く推定し、受信性能を向上させることができる。
【００８６】
（実施の形態２）
本発明の実施の形態２の特徴は、複数のスロットに対応して推定された振幅比のうち最も信頼できる振幅比をすべてのスロットに適用して参照信号点配置を生成する点である。
【００８７】
本実施の形態に係る受信装置の全体構成は実施の形態１（図１）と同様であり、パス決定部１２０の内部構成のみが異なるため、全体構成の説明を省略する。
【００８８】
図４は、実施の形態２に係るパス決定部１２０の内部構成を示すブロック図である。同図において、図３と同じ部分には同じ符号を付し、その説明を省略する。
【００８９】
信頼度比較部１２４は、最大値検出部１２２によって検出された１スロット分の平均チャネル推定電力の最大値を信頼度として記憶し、複数のスロットの信頼度を比較する。さらに信頼度比較部１２４は、信頼度が最も高いスロットを振幅比平均化部１５０へ通知する。なお、例えばＨＳＤＰＡにおいては、ＨＳ−ＰＤＳＣＨが３スロットから構成されるため、信頼度比較部１２４は、１スロット分の平均チャネル推定電力の最大値を、３スロットについて比較する。
【００９０】
次いで、上記のように構成された受信装置の動作について説明する。なお、信号が受信されてからフィンガ部１１０−１〜１１０−ｎによって出力Ａ〜Ｃがパス決定部１２０内の各処理部へ入力されるまでの動作は、実施の形態１と同様であるため、その説明を省略する。
【００９１】
パス決定部１２０では、以下のように振幅比の算出に用いるパスが決定される。
【００９２】
すなわち、最大値検出部１２２によって、入力Ｂである平均チャネル推定電力の最大値が検出され、この最大値に対応するパスがパス選択部１２３および信頼度比較部１２４へ通知される。また、検出された最大値が信頼度比較部１２４へ通知される。そして、信頼度比較部１２４によって、最大値検出部１２２から通知された最大値が信頼度として一時的に記憶されるとともに、この最大値に対応するパスがチャネル推定電力合算部１２１へ通知され、チャネル推定電力合算部１２１によって、このパスのチャネル推定電力がフェージング除去部１４０へ出力される。
【００９３】
ここで、最大値検出部１２２への入力Ｂは、１スロットにわたってシンボルのチャネル推定電力を平均して得られる平均チャネル推定電力である。したがって、信頼度比較部１２４には、１スロットに対応する信頼度が記憶されていることになる。そして、引き続き次のスロットの平均チャネル推定電力の最大値が信頼度比較部１２４に記憶される。
【００９４】
このようにして、所定数のスロットに対応する平均チャネル推定電力の最大値が信頼度として信頼度比較部１２４に記憶されると、これらの信頼度が互いに比較され、最も信頼度が高いスロットに関する情報が振幅比平均化部１５０へ通知される。
【００９５】
一方、最大値検出部１２２によって検出された最大値に対応するパスは、パス選択部１２３へも通知される。そして、パス選択部１２３によって、この最大値に対応するパスの同期検波結果がフェージング除去部１４０へ出力される。
【００９６】
以下、実施の形態１と同様に、フェージング除去部１４０によって、ＨＳ−ＰＤＳＣＨシンボルの同期検波結果がチャネル推定電力によって除算され、除算結果が振幅比平均化部１５０へ出力される。除算結果は、振幅比平均化部１５０によって、１スロットにわたって平均化され、得られた平均値がＣＰＩＣＨとＨＳ−ＰＤＳＣＨとの振幅比となる。
【００９７】
ここで、振幅比は、除算結果がスロット単位で平均化されて得られるものである。本実施の形態においては、振幅比平均化部１５０は、スロットに対応する振幅比を算出してすぐに参照信号点生成部１６０へ出力することなく、一時的に記憶しておく。そして、信頼度比較部１２４から通知される、信頼度が最も高いスロットに対応する振幅比のみを参照信号点生成部１６０へ出力する。
【００９８】
具体的には、例えば図５に示すように、信頼度比較部１２４によって、スロット１〜３の３スロット分の信頼度Ｌ１〜Ｌ３が比較される。図５に示す例では、Ｌ２が最も大きかったものとする。したがって、スロット２に関する情報が振幅比平均化部１５０へ通知され、振幅比平均化部１５０によって、それぞれのスロット１〜３について平均化されて算出された振幅比Ｒ１〜Ｒ３のうち、Ｒ２のみが参照信号点生成部１６０へ出力される。
【００９９】
このように、平均チャネル推定電力の最大値を検出し、さらに、この最大値を複数のスロットについて比較することにより、よりチャネル推定の精度が良いと考えられるパスを選択することができ、参照信号点生成部１６０へ出力される振幅比は、実施の形態１よりもさらに精度の高いものとなる。
【０１００】
そして、参照信号点生成部１６０によって、振幅比およびチャネル推定電力合算部１２１によって算出されたチャネル推定電力の合算値が用いられることにより、１６ＱＡＭで変調されたシンボルがＩＱ平面上に配置された場合に、信号点となり得る１６個の信号点候補を示す参照信号点配置が生成される。この参照信号点配置は、復調部１７０へ通知され、復調部１７０によって、Ｒａｋｅ合成部１３０から出力されるＲａｋｅ合成結果が参照信号点配置のどの信号点を示すものであるかが判定されることにより、復調が行われる。このとき、復調結果の確からしさが尤度情報として復号部１８０へ通知される。
【０１０１】
復調結果は、復号部１８０によって尤度情報が用いられて復号され、復号データが出力される。
【０１０２】
このように、本実施の形態によれば、複数のスロットに対応する平均チャネル推定電力の最大値を信頼度として比較し、最も信頼度が高いスロットにおいて平均チャネル推定電力が最大であるパスに対応する振幅比を用いて復調を行うため、参照信号点生成に用いる振幅比を精度良く推定することができるとともに、復調性能をさらに向上させることができる。
【０１０３】
なお、本実施の形態においては、所定数のスロットごとに信頼度を比較してパスを選択したが、前回のスロットと今回のスロットとの信頼度を比較し、毎回パスを選択するスロットを決定するようにしても良い。
【０１０４】
すなわち、例えば図５において、スロット１については振幅比としてＲ１を出力し、スロット２については信頼度Ｌ１＜Ｌ２であるため、振幅比としてＲ２を出力し、スロット３については信頼度Ｌ３＜Ｌ２であるため、振幅比としてＲ２を出力するようにする。
【０１０５】
これにより、所定数のスロットすべてについて振幅比が算出されるのを待つことなく復調を開始することができ、復調性能を向上しつつ、処理時間の増大を防止することができる。
【０１０６】
（実施の形態３）
本発明の実施の形態３の特徴は、平均チャネル推定電力が所定の閾値以上であるパスをすべて用いて振幅比を推定する点である。
【０１０７】
本実施の形態に係る受信装置の全体構成は実施の形態１（図１）と同様であり、パス決定部１２０の内部構成のみが異なるため、全体構成の説明を省略する。
【０１０８】
図６は、実施の形態３に係るパス決定部１２０の内部構成を示すブロック図である。
【０１０９】
チャネル推定電力合算部１２５は、フィンガ部１１０−１〜１１０−ｎからそれぞれＡとして入力されるｎ個のチャネル推定電力をすべて合算し、合算値を参照信号点生成部１６０へ出力する。また、チャネル推定電力合算部１２５は、後述する閾値比較部１２６から通知されたパスに対応する入力Ａを合算し、合算値をフェージング除去部１４０へ出力する。
【０１１０】
閾値比較部１２６は、フィンガ部１１０−１〜１１０−ｎからそれぞれＢとして入力されるｎ個の平均チャネル推定電力と所定の閾値とを比較する。閾値比較部１２６は、平均チャネル推定電力が所定の閾値以上であるパスをチャネル推定電力合算部１２５および後述するパス選択部１２７へ通知する。
【０１１１】
パス選択部１２７は、フィンガ部１１０−１〜１１０−ｎからそれぞれＣとして入力されるｎ個の同期検波結果のうち、閾値比較部１２６から通知されたパスに対応する同期検波結果をＲａｋｅ合成部１２８へ出力する。
【０１１２】
Ｒａｋｅ合成部１２８は、パス選択部１２７から出力された同期検波結果をＲａｋｅ合成し、Ｒａｋｅ合成結果をフェージング除去部１４０へ出力する。
【０１１３】
次いで、上記のように構成されたパス決定部１２０のパス決定動作について説明する。
【０１１４】
まず、閾値比較部１２６によって、入力Ｂである平均チャネル推定電力と所定の閾値とが比較され、所定の閾値以上の平均チャネル推定電力を有するパスの情報がチャネル推定電力合算部１２５およびパス選択部１２７へ通知される。この情報が通知されると、チャネル推定電力合算部１２５によって、当該パスに対応するフィンガ部から出力された入力Ａ（シンボル単位のチャネル推定電力）が合算され、合算値がフェージング除去部１４０へ出力される。また、すべてのパスに対応するｎ個の入力Ａがチャネル推定電力合算部１２５によって合算され、参照信号点生成部１６０へ出力される。
【０１１５】
一方、所定の閾値以上の平均チャネル推定電力を有するパスの情報がパス選択部１２７へ通知されると、パス選択部１２７によって、当該パスに対応するフィンガ部から出力された入力Ｃ（シンボル単位の同期検波結果）がＲａｋｅ合成部１２８へ出力される。そして、Ｒａｋｅ合成部１２８によって、パス選択部１２７から出力された同期検波結果がＲａｋｅ合成され、Ｒａｋｅ合成結果がフェージング除去部１４０へ出力される。
【０１１６】
これにより、チャネル推定電力が安定して大きいパスのＣＰＩＣＨシンボルから得られたチャネル推定電力の合算値とこれらのパスのＨＳ−ＰＤＳＣＨシンボルの同期検波結果をＲａｋｅ合成したものとがフェージング除去部１４０へ出力されたことになる。
【０１１７】
以下、実施の形態１と同様に、ＣＰＩＣＨとＨＳ−ＰＤＳＣＨとの振幅比が求められ、ＨＳ−ＰＤＳＣＨシンボルが復調・復号される。
【０１１８】
本実施の形態においては、平均チャネル推定電力が所定の閾値以上であれば、複数のパスが選択されるため、多くのパスの受信レベルが良好である場合などに、平均チャネル推定電力が最大である１つのパスのみを選択して、他のパスが有している情報を破棄してしまうことがない。
【０１１９】
このように、本実施の形態によれば、平均チャネル推定電力が所定の閾値以上であるパスに対応するチャネル推定電力の合算値、および同期検波されたＨＳ−ＰＤＳＣＨシンボルのＲａｋｅ合成結果を用いて振幅比を算出するため、受信レベルが低くチャネル推定の精度が低いパスを除外した上で、振幅比の算出を行うことができるとともに、受信状態が良好なパスが有している情報を有効に利用することができ、受信性能をさらに向上させることができる。
【０１２０】
なお、本実施の形態においては、平均チャネル推定電力が所定の閾値以上であるパスをすべて用いて振幅比を推定する構成としたが、所定の閾値以上のパスが無い場合には、実施の形態１のように、平均チャネル推定電力が最大であるパスを用いて振幅比を推定する構成としても良い。
【０１２１】
（実施の形態４）
本発明の実施の形態４の特徴は、ＣＰＩＣＨに含まれる雑音成分を考慮して振幅比の推定に用いるパスを決定する点である。
【０１２２】
本実施の形態に係る受信装置の全体構成は実施の形態１（図１）と同様であるため、その説明を省略する。
【０１２３】
図７は、実施の形態４に係るフィンガ部１１０−１の内部構成を示すブロック図である。なお、同図において、図２と同じ部分には同じ符号を付し、その説明を省略する。また、フィンガ部１１０−１〜１１０−ｎは、すべて同様の構成を有している。
【０１２４】
雑音抽出部１１８は、ＣＰＩＣＨの逆拡散結果から雑音成分を抽出し、シンボルごとの雑音電力を平均値算出部１１９へ出力する。
【０１２５】
平均値算出部１１９は、例えば１スロットなどの所定区間にわたって雑音電力を平均し、得られた平均雑音電力をパス決定部１２０へ出力する（この出力をＤとする）。なお、平均値算出部１１９は、平均値算出部１１７と同一の区間にわたって雑音電力を平均する。
【０１２６】
図８は、実施の形態４に係るパス決定部１２０の内部構成を示すブロック図である。同図において、図３と同じ部分には同じ符号を付し、その説明を省略する。
【０１２７】
最大値検出部１２２ａは、後述する除算部１２９から出力されるパスごとの平均チャネル推定電力と平均雑音電力との除算結果を比較し、最大値を検出する。最大値検出部１２２ａは、除算結果が最大であるパスをチャネル推定電力合算部１２１およびパス選択部１２３へ通知する。
【０１２８】
除算部１２９は、フィンガ部１１０−１〜１１０−ｎからそれぞれＢおよびＤとして入力されるｎ個の平均チャネル推定電力とｎ個の平均雑音電力とを除算し、得られるｎ個の除算結果を最大値検出部１２２ａへ出力する。
【０１２９】
次いで、上記のように構成された受信装置の動作について説明する。なお、信号が受信されてからフィンガ部１１０−１〜１１０−ｎによって出力Ａ〜Ｃがパス決定部１２０内の各処理部へ入力されるまでの動作は、実施の形態１と同様であるため、その説明を省略する。
【０１３０】
本実施の形態においては、雑音抽出部１１８によってＣＰＩＣＨシンボルから雑音成分が抽出され、この雑音成分の電力が平均値算出部１１９によって１スロットにわたって平均化される。そして、上記の出力Ａ〜Ｃに加えて、平均雑音電力が出力Ｄとしてパス決定部１２０内の除算部１２９へ出力される。
【０１３１】
パス決定部１２０では、以下のように振幅比の算出に用いるパスが決定される。
【０１３２】
まず、除算部１２９によって、入力Ｂである平均チャネル推定電力と入力Ｄである平均雑音電力とが除算され、パスごとの除算結果が最大値検出部１２２ａへ出力される。そして、最大値検出部１２２ａによって、各パスの除算結果から最大値が検出され、この除算結果の最大値に対応するパスが振幅比算出に用いられるパスとして、チャネル推定電力合算部１２１およびパス選択部１２３へ通知される。
【０１３３】
このように、平均チャネル推定電力と平均雑音電力との比を比較して、その最大値に対応するパスを選択することにより、雑音成分に対してＣＰＩＣＨシンボルの成分が大きいパスを選択することができ、さらに受信状態が良好なパスを振幅比算出のためのパスとして選択することができる。
【０１３４】
以下、実施の形態１と同様に、選択されたパスのチャネル推定電力と同期検波結果がフェージング除去部１４０へ出力されて除算され、除算結果の絶対値が振幅比平均化部１５０によって平均化されることにより、ＣＰＩＣＨとＨＳ−ＰＤＳＣＨとの振幅比が得られる。
【０１３５】
このように、本実施の形態によれば、平均チャネル推定電力と平均雑音電力との比が最大であるパスに対応するチャネル推定電力および同期検波結果を用いて振幅比を算出するため、受信レベルが低く雑音成分の比率が高いパスを除外した上で、振幅比の算出を行うことができ、フェージングによって受信レベルが低いパスがある場合でも、パスごとのチャネル推定電力を用いて既知信号と情報信号との振幅比を精度良く推定し、受信性能を向上させることができる。
【０１３６】
（実施の形態５）
本発明の実施の形態５の特徴は、ＣＰＩＣＨに含まれる雑音成分を考慮した上で、平均チャネル推定電力が所定の閾値以上であるパスをすべて用いて振幅比を推定する点である。
【０１３７】
本実施の形態に係る受信装置の全体構成は実施の形態１（図１）と同様であるため、その説明を省略する。また、本実施の形態に係るフィンガ部１１０−１〜１１０−ｎの内部構成は、実施の形態４（図７）と同様であるため、その説明を省略する。
【０１３８】
図９は、実施の形態５に係るパス決定部１２０の内部構成を示すブロック図である。同図において、図６と同じ部分には同じ符号を付し、その説明を省略する。
【０１３９】
閾値比較部１２６ａは、除算部１２９から出力されるパスごとの平均チャネル推定電力と平均雑音電力との除算結果と所定の閾値とを比較する。閾値比較部１２６ａは、除算結果が所定の閾値以上であるパスをチャネル推定電力合算部１２５およびパス選択部１２７へ通知する。
【０１４０】
次いで、上記のように構成されたパス決定部１２０のパス決定動作について説明する。
【０１４１】
まず、実施の形態４と同様に、入力Ｂである平均チャネル推定電力と入力Ｄである平均雑音電力との比が除算部１２９によって除算が行われることによりパスごとに算出され、除算結果が閾値比較部１２６ａへ出力される。そして、閾値比較部１２６ａによって、除算結果と所定の閾値とが比較され、所定の閾値以上の除算結果に対応するパスの情報がチャネル推定電力合算部１２５およびパス選択部１２７へ通知される。この情報が通知されると、チャネル推定電力合算部１２５によって、当該パスに対応するフィンガ部から出力された入力Ａ（シンボル単位のチャネル推定電力）が合算され、合算値がフェージング除去部１４０へ出力される。また、すべてのパスに対応するｎ個の入力Ａがチャネル推定電力合算部１２５によって合算され、参照信号点生成部１６０へ出力される。
【０１４２】
一方、所定の閾値以上の除算結果に対応するパスの情報がパス選択部１２７へ通知されると、パス選択部１２７によって、当該パスに対応するフィンガ部から出力された入力Ｃ（シンボル単位の同期検波結果）がＲａｋｅ合成部１２８へ出力される。そして、Ｒａｋｅ合成部１２８によって、パス選択部１２７から出力された同期検波結果がＲａｋｅ合成され、Ｒａｋｅ合成結果がフェージング除去部１４０へ出力される。
【０１４３】
これにより、雑音電力に対してチャネル推定電力が大きいパスのＣＰＩＣＨシンボルから得られたチャネル推定電力の合算値とこれらのパスのＨＳ−ＰＤＳＣＨシンボルの同期検波結果をＲａｋｅ合成したものとがフェージング除去部１４０へ出力されたことになる。
【０１４４】
以下、実施の形態１と同様に、ＣＰＩＣＨとＨＳ−ＰＤＳＣＨとの振幅比が求められ、ＨＳ−ＰＤＳＣＨシンボルが復調・復号される。
【０１４５】
このように、本実施の形態によれば、平均チャネル推定電力と平均雑音電力との比が所定の閾値以上であるパスに対応するチャネル推定電力の合算値、および同期検波されたＨＳ−ＰＤＳＣＨシンボルのＲａｋｅ合成結果を用いて振幅比を算出するため、受信レベルが低く相対的に雑音電力が高いパスを除外した上で、振幅比の算出を行うことができるとともに、受信状態が良好なパスが有している情報を有効に利用することができ、受信性能をさらに向上させることができる。
【０１４６】
なお、本実施の形態においては、平均チャネル推定電力と平均雑音電力との比が所定の閾値以上であるパスをすべて用いて振幅比を推定する構成としたが、所定の閾値以上のパスが無い場合には、実施の形態４のように、平均チャネル推定電力と平均雑音電力との比が最大であるパスを用いて振幅比を推定する構成としても良い。
【０１４７】
また、上記実施の形態２においては、信頼度として平均チャネル推定電力の最大値を記憶し、複数のスロットについて比較する構成としたが、実施の形態２と実施の形態３〜５を組み合わせることもできる。
【０１４８】
すなわち、実施の形態２と実施の形態３とを組み合わせる場合は、平均チャネル推定電力が所定の閾値以上であるパスの平均チャネル推定電力の合計値を信頼度とする。また、実施の形態２と実施の形態４とを組み合わせる場合は、平均チャネル推定電力と平均雑音電力との比の最大値を信頼度とする。同様に、実施の形態２と実施の形態５とを組み合わせる場合は、選択されたパスの平均チャネル推定電力および平均雑音電力をそれぞれＲａｋｅ合成し、Ｒａｋｅ合成後の平均チャネル推定電力と平均雑音電力との比を信頼度とする。
【０１４９】
また、上記各実施の形態において、チャネル推定の結果からフェージング変動を検出し、このフェージング変動に応じて、チャネル推定電力または雑音電力を平均する区間の長さを変更したり、信頼度を比較するスロット数を変更したりする構成にしても良い。
【０１５０】
具体的には、例えばフェージング変動が大きい場合には、上記の区間を短くする一方、変動量が少ない場合には、上記の区間を長くする。これにより、各パスのシンボルごとのチャネル推定電力が大きく変動すると考えられるフェージング変動が大きい場合にも、振幅比の算出に使用するパスの選択周期を短くして、常に最適なパスから振幅比推定を行うことができる。
【産業上の利用可能性】
【０１５１】
本発明に係る受信装置および振幅比推定方法は、フェージングによって受信レベルが低いパスがある場合でも、パスごとのチャネル推定電力を用いて既知信号と情報信号との振幅比を精度良く推定し、受信性能を向上させることができ、受信信号を復調するために既知信号と情報信号との送信レベルの比が必要となる１６ＱＡＭなどの変調方式で変調された信号を受信する受信装置および振幅比推定方法などとして有用である。
【図面の簡単な説明】
【０１５２】
【図１】本発明の実施の形態に係る受信装置の要部構成を示すブロック図
【図２】本発明の実施の形態１〜３に係るフィンガ部の内部構成を示すブロック図
【図３】本発明の実施の形態１に係るパス決定部の内部構成を示すブロック図
【図４】本発明の実施の形態２に係るパス決定部の内部構成を示すブロック図
【図５】実施の形態２に係る振幅比選択動作を説明するための図
【図６】本発明の実施の形態３に係るパス決定部の内部構成を示すブロック図
【図７】本発明の実施の形態４、５に係るフィンガ部の内部構成を示すブロック図
【図８】本発明の実施の形態４に係るパス決定部の内部構成を示すブロック図
【図９】本発明の実施の形態５に係るパス決定部の内部構成を示すブロック図
【図１０】従来の振幅比を推定する装置の構成例を示すブロック図
【符号の説明】
【０１５３】
１００  無線受信部
１１０−１〜１１０−ｎ  フィンガ部
１１１  ＣＰＩＣＨ逆拡散部
１１２  チャネル推定部
１１３  複素共役算出部
１１４  ＨＳ−ＰＤＳＣＨ逆拡散部
１１５  同期検波部
１１６  乗算器
１１７、１１９  平均値算出部
１１８  雑音抽出部
１２０  パス決定部
１２１、１２５  チャネル推定電力合算部
１２２、１２２ａ  最大値検出部
１２３、１２７  パス選択部
１２４  信頼度比較部
１２６、１２６ａ  閾値比較部
１２８、１３０  Ｒａｋｅ合成部
１２９  除算部
１４０  フェージング除去部
１５０  振幅比平均化部
１６０  参照信号点生成部
１７０  復調部
１８０  復号部
【図１】
2005073162.tif 000006
【図２】
2005073162.tif 000007
【図３】
2005073162.tif 000008
【図４】
2005073162.tif 000009
【図５】
2005073162.tif 000010
【図６】
2005073162.tif 000011
【図７】
2005073162.tif 000012
【図８】
2005073162.tif 000013
【図９】
2005073162.tif 000014
【図１０】
2005073162.tif 000015